(57)【要約】【課題】利用者が寝ている状態であっても足ボトムの昇降時における保持角度を変更できる電動ベッドを提供する。【解決手段】ボトム２０の姿勢変更の態様を切り替える切替機構４０を備え、切替機構４０は、膝ボトム２３と足ボトム２４との連結箇所が上昇するときに、足ボトム２４を略水平に維持したまま連結箇所を上昇させる足上げモードと、足ボトム２４のうち、連結箇所と対向する辺を上昇させることなく連結箇所を上昇させる膝立てモードとを切り替え、切替機構４０には、足ボトム２４の裏面に回動可能に取り付けられた支持部材４１と、膝ボトム２３と足ボトム２４との連結箇所が上昇したときにおける支持部材４１の先端部４１ｃ及び４１ｄの移動をガイドするレール４２と、レール４２における支持部材４１の先端部４１ｃ及び４１ｄの移動を遮断するか、通過させるかを切り替える遮断機４６とが含まれる。【選択図】図３
2015202375.tif 000002
【特許請求の範囲】
【請求項１】
電動ベッドであって、
人体を支持するボトムと、
前記ボトムを駆動することによって前記ボトムの姿勢を変更する駆動機構と、
前記駆動機構による前記ボトムの姿勢変更の態様を切り替える切替機構とを備え、
前記ボトムは、回動可能に順次、連結された腰ボトム、膝ボトム及び足ボトムを含み、
前記駆動機構は、前記腰ボトムと前記膝ボトムとの連結箇所を軸として、前記膝ボトムを回動させることで、前記膝ボトムと前記足ボトムとの連結箇所を昇降させる駆動を行い、
前記切替機構は、前記膝ボトムと前記足ボトムとの連結箇所が上昇するときに、前記足ボトムを略水平に維持したまま前記連結箇所を上昇させる足上げモードと、前記足ボトムのうち、前記連結箇所と対向する辺を上昇させることなく前記連結箇所を上昇させる膝立てモードとを切り替える機構を有し、
前記切替機構には、
前記足ボトムの裏面に回動可能に取り付けられた支持部材と、
前記膝ボトムと前記足ボトムとの連結箇所が上昇したときにおける前記支持部材の先端部の移動をガイドするレールと、
前記レールにおける前記先端部の移動を遮断するか、通過させるかを切り替える遮断機とが含まれる
電動ベッド。
【請求項２】
前記遮断機は、前記遮断及び前記通過を切り替えるための操作部を有し、
前記操作部は、前記電動ベッドの側方から操作可能な位置に設けられる
請求項１記載の電動ベッド。
【請求項３】
前記遮断機は、
前記レールの途上に載置される部材であるストッパーと、
前記ボトムの下側を通り、前記ストッパーを前記レールの途上に載置すること、及び、前記ストッパーを前記レールの途上から除去することを行うシャフトとを有し、
前記操作部は、前記シャフトの端部に取りけられたレバーである
請求項２記載の電動ベッド。
【請求項４】
前記ストッパーは、回動可能に前記シャフトに取り付けられ、前記レールにおける前記先端部の移動を遮断する場合には、前記レールの途上に載置された状態を維持し、前記レールにおける前記先端部の移動を通過させる場合には、前記レールの途上から除去された状態を維持する
請求項３記載の電動ベッド。
【請求項５】
前記ストッパーは、前記レールにおける前記先端部の移動を遮断する場合には、自重によって前記レールの途上に載置された状態を維持し、前記レールにおける前記先端部の移動を通過させる場合には、前記操作部の自重による前記シャフトの回転力によって前記レールの途上から除去された状態を維持する
請求項４記載の電動ベッド。
【発明の詳細な説明】
【技術分野】
【０００１】
本発明は、電動ベッドに関し、特に、足ボトムを、略水平に維持した状態で昇降させることができる電動ベッドに関する。
【背景技術】
【０００２】
近年、病院及び家庭で用いられる電動ベッドが普及してきた。電動ベッドは、人体を支持するボトム（床板体）と、そのボトムの姿勢を変更する駆動機構とを備える。姿勢変更が可能なボトムは、回動可能に連結された背ボトム、腰ボトム、膝ボトム及び足ボトムから構成される。
【０００３】
電動ベッドの利用者の上半身を起こすときには、背ボトムを上昇させる（背ボトムを起こす）。このときに、利用者の体が前方（頭から足に向かう方向）にずれ動くのを防止するために、背ボトムの上昇と並行して、膝ボトムと足ボトムとの連結箇所を上昇させることが行われる。ところが、膝ボトムと足ボトムとの連結箇所を上昇させるときには、利用者の好み、及び、利用者の骨折等の病状に応じて、膝ボトムと足ボトムとがなす角度（つまり、利用者の膝の曲がり具合）が調節できることが望ましい。
【０００４】
そこで、従来、膝ボトムと足ボトムとの連結箇所を上昇させるときに、膝ボトムと足ボトムとがなす角度を調節できる電動ベッドが提案されている（例えば、特許文献１参照）。
【０００５】
特許文献１に開示された電動ベッドによれば、足ボトムの保持角度を調節する機構を設けることで、膝ボトムと足ボトムとの連結箇所が上昇したときに、足ボトムの保持角度を複数の状態から選択できる。
【先行技術文献】
【特許文献】
【０００６】
【特許文献１】特開２００５−３４４０６号公報
【発明の概要】
【発明が解決しようとする課題】
【０００７】
しかしながら、上記従来の電動ベッドでは、足ボトムの保持角度を変更する作業が煩わしいという問題がある。従来の電動ベッドでは、足ボトムの保持角度を調節する機構が足ボトムの下方に設けられているために、足ボトムの保持角度を変更する際には、足ボトムを上方に持ち上げたうえで、保持角度を変更する作業をしなければならない。そのために、電動ベッドに利用者が寝ているときには、足ボトムの上に載っているマット、布団、及び、利用者の下腿ごと、足ボトムを持ち上げるか、それらを足ボトムの上から取り除く等の煩わしい作業が必要となる。
【０００８】
そこで、本発明は、利用者が寝ている状態であっても足ボトムの昇降時における保持角度を変更できる電動ベッドを提供することを目的とする。
【課題を解決するための手段】
【０００９】
上記目的を達成するために、本発明に係る電動ベッドの一形態は、人体を支持するボトムと、前記ボトムを駆動することによって前記ボトムの姿勢を変更する駆動機構と、前記駆動機構による前記ボトムの姿勢変更の態様を切り替える切替機構とを備え、前記ボトムは、回動可能に順次、連結された腰ボトム、膝ボトム及び足ボトムを含み、前記駆動機構は、前記腰ボトムと前記膝ボトムとの連結箇所を軸として、前記膝ボトムを回動させることで、前記膝ボトムと前記足ボトムとの連結箇所を昇降させる駆動を行い、前記切替機構は、前記膝ボトムと前記足ボトムとの連結箇所が上昇するときに、前記足ボトムを略水平に維持したまま前記連結箇所を上昇させる足上げモードと、前記足ボトムのうち、前記連結箇所と対向する辺を上昇させることなく前記連結箇所を上昇させる膝立てモードとを切り替える機構を有し、前記切替機構には、前記足ボトムの裏面に回動可能に取り付けられた支持部材と、前記膝ボトムと前記足ボトムとの連結箇所が上昇したときにおける前記支持部材の先端部の移動をガイドするレールと、前記レールにおける前記先端部の移動を遮断するか、通過させるかを切り替える遮断機とが含まれる。
【発明の効果】
【００１０】
本発明に係る電動ベッドにより、利用者が寝ている状態であっても足ボトムの昇降時における保持角度を変更できる。
【図面の簡単な説明】
【００１１】
【図１】本発明の実施の形態における電動ベッドの外観図
【図２Ａ】同電動ベッドにおける足上げモードでのボトムの動作を示す図
【図２Ｂ】同電動ベッドにおける膝立てモードでのボトムの動作を示す図
【図３】同電動ベッドが備える切替機構の詳細な構造を示す図
【図４Ａ】同電動ベッドにおける足上げモードでの切替機構の動作を示す図
【図４Ｂ】同電動ベッドにおける膝立てモードでの切替機構の動作を示す図
【発明を実施するための形態】
【００１２】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置及び接続形態、動作の順序等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。
【００１３】
図１は、本発明の実施の形態における電動ベッド１０の外観図である。この電動ベッド１０は、病院及び家庭等で使用される電動式のベッドであり、フレーム１１と、ボトム２０と、駆動機構３０と、切替機構４０と、手元スイッチ５０とを備える。
【００１４】
フレーム１１は、電動ベッド１０の骨格を形成する枠体であり、鉄等で構成される。
【００１５】
ボトム２０は、フレーム１１に載置され、人体を支持するための、分割された樹脂製又は金属製の床板体であり、蝶番等で回動可能に順次、連結された複数の部位、つまり、背ボトム２１、腰ボトム２２、膝ボトム２３及び足ボトム２４から構成される。より詳しくは、背ボトム２１は、この電動ベッド１０の利用者の上半身（つまり、背中）を支持する床板体であり、腰ボトム２２と回動可能に連結されている。腰ボトム２２は、利用者の腰を支持する床板体であり、膝ボトム２３と回動可能に連結されている。膝ボトム２３は、フレーム１１に固定され、利用者の膝（つまり、上腿）を支持する床板体であり、足ボトム２４と回動可能に連結されている。足ボトム２４は、利用者の下腿及び足を支持する床板体であり、後述するように、切替機構４０により、膝ボトム２３の昇降時に、略水平を維持するか、あるいは、膝ボトム２３との連結箇所（一端）だけを昇降させる（他端を昇降させない）動作を行う。なお、「略水平」とは、水平だけでなく、水平に対して所定の許容角度だけ傾斜した状態を含み、例えば、水平に対して−１５度傾斜した状態から水平に対して＋１５度傾斜した状態までの間の状態をいう。
【００１６】
駆動機構３０は、手元スイッチ５０から送られてくる動作指令に従ってボトム２０の姿勢及び高さを変更する機構である。この駆動機構３０は、制御回路、その制御回路による制御の下で動作する電動アクチュエータを含む駆動機構、及び、電動ベッド１０に備えられた各種センサ（図示せず）等から構成される。
【００１７】
この駆動機構３０によるボトム２０の姿勢変更には、次の動作が含まれる。つまり、背ボトム２１は、腰ボトム２２との連結箇所（一端）を軸として回動することにより、先端側（利用者の頭を支える箇所）を昇降させる。また、膝ボトム２３は、腰ボトム２２との連結箇所（一端）を軸として回動することにより、他端（足ボトム２４との連結箇所）を昇降させる。なお、背ボトム２１の昇降と膝ボトム２３の昇降とは、手元スイッチ５０からの動作指令に依存して、連動して行われるか、連動することなくそれぞれ単独で行われる。
【００１８】
手元スイッチ５０は、駆動機構３０と有線又は無線で接続され、駆動機構３０に動作指令を与えるためのコントローラであり、操作ボタン及びディスプレイを有する。
【００１９】
切替機構４０は、駆動機構３０によるボトム２０の姿勢変更の態様を切り替える機構である。この切替機構４０は、膝ボトム２３と足ボトム２４との連結箇所が上昇するときに、足ボトム２４を略水平に維持したまま連結箇所を上昇させる足上げモードと、足ボトム２４を傾斜させた状態で連結箇所を上昇させる膝立てモードとを切り替える機構を有する。２つのモードは、電動ベッド１０の側方に設けられた操作部４５による回転操作で切り替えられる。つまり、操作部４５を右（時計回り）に約半回転させることで、足上げモードにセットし、操作部４５を左（反時計回り）に約半回転させることで、膝立てモードにセットすることができる。
【００２０】
図２Ａは、足上げモードでのボトム２０の動作を示す図であり、図２Ｂは、膝立てモードでのボトム２０の動作を示す図である。図２Ａに示されるように、足上げモードでは、足ボトム２４は、略水平状態を維持したまま昇降する。つまり、足上げモードでは、膝ボトム２３と足ボトム２４との連結箇所が昇降するときに、足ボトム２４を略水平に維持したまま連結箇所を昇降させる。一方、図２Ｂに示されるように、膝立てモードでは、足ボトム２４は、膝ボトム２３と足ボトム２４との連結箇所（一端）を昇降させるが、連結箇所（一端）と対向する辺（他端）をフレーム１１に接した状態に維持する。つまり、膝立てモードでは、膝ボトム２３と足ボトム２４との連結箇所が昇降するときに、足ボトム２４のうち、膝ボトム２３との連結箇所と対向する辺を昇降させることなく、膝ボトム２３との連結箇所だけを昇降させる。
【００２１】
図３は、本実施の形態における電動ベッド１０が備える切替機構４０の詳細な構造を示す図である。ここでは、足ボトム２４の裏面及び足ボトム２４の下方に設けられた切替機構４０の構造を示すために、便宜上、足ボトム２４を上方に持ち上げた状態での切替機構４０の構造が図示されている。本図に示されるように、切替機構４０は、支持部材４１、レール４２及び遮断機４６から構成される。
【００２２】
支持部材４１は、足ボトム２４の裏面に回動可能に取り付けられた支持ステーであり、２本の支持部材（第１支持部材４１ａ及び第２支持部材４１ｂ）から構成される。２本の支持部材（第１支持部材４１ａ及び第２支持部材４１ｂ）は、足ボトム２４の裏面に取り付けられた蝶番構造を有し、自重で回動する。
【００２３】
レール４２は、膝ボトム２３と足ボトム２４との連結箇所が上昇したときにおける支持部材４１の先端部４１ｃ及び４１ｄの移動をガイドするレールであり、平行に走る２本のレール（第１レール４２ａ及び第２レール４２ｂ）から構成される。２本のレール（第１レール４２ａ及び第２レール４２ｂ）は、例えば、断面がＬ字の部材であり、第１レール４２ａが第１支持部材４１ａの先端部４１ｃの移動をガイドし、第２レール４２ｂが第２支持部材４１ｂの先端部４１ｄの移動をガイドする。なお、第１レール４２ａ及び第２レール４２ｂは、それぞれ、図示されているように、略水平に延びる箇所（水平部）と、水平に対して下方に傾斜して延びる箇所（傾斜部）とで構成される。
【００２４】
遮断機４６は、レール４２における支持部材４１の先端部４１ｃ及び４１ｄの移動を遮断するか、通過させるかを切り替える機構アセンブリであり、ストッパー４３、シャフト４４及び操作部４５から構成される。
【００２５】
ストッパー４３は、レール４２の途上に載置されることで、レール４２における支持部材４１の先端部４１ｃ及び４１ｄの移動を遮断する部材であり、２個のストッパー（第１ストッパー４３ａ及び第２ストッパー４３ｂ）から構成される。つまり、このストッパー４３は、レール４２における支持部材４１の先端部４１ｃ及び４１ｄの移動を遮断する場合には、レール４２の途上に載置された状態を維持する。一方、レール４２における支持部材４１の先端部４１ｃ及び４１ｄの移動を通過させる場合には、ストッパー４３は、レール４２の途上から除去された状態を維持する。このストッパー４３は、シャフト４４を軸として自重で回動できるように、シャフト４４に軸支されている。
【００２６】
シャフト４４は、ボトム２０の下側を通り、ストッパー４３をレール４２の途上に載置すること（足上げモード）、及び、ストッパー４３をレール４２の途上から除去すること（膝立てモード）を行う棒体である。足上げモードでは、図示されたシャフト４４を手前から見て、シャフト４４を右回転させることで、およそ時計の１２時の位置に静止していたストッパー４３が、シャフト４４に設けられた突起（図示せず）で右回転方向に押し出される。その結果、ストッパー４３は、シャフト４４を軸として右回転し、自重により、およそ時計の４時の位置まで回転し、図示されるように、レール４２の途上に載置される。一方、膝立てモードでは、図３の矢印に示されるように、シャフト４４を左回転させることで、シャフト４４に設けられた突起（図示せず）により、レール４２の途上に載置されていたストッパー４３がシャフト４４を軸として左回転する。その結果、ストッパー４３は、時計の１２時の位置に戻されることで、レール４２から除去される。
【００２７】
操作部４５は、電動ベッド１０の側方から操作可能な位置に設けられ、レール４２における支持部材４１の先端部４１ｃ及び４１ｄの移動について、遮断及び通過を切り替えるための取っ手であり、例えば、シャフト４４の端部に取りけられたレバーである。足ボトム２４が下降している状態で、操作部４５を右回転させることで、ストッパー４３をレール４２の途上に載置し、これによって、足上げモードがセットされる。足上げモードでは、ストッパー４３は、レール４２における支持部材４１の先端部４１ｃ及び４１ｄの移動を遮断するために、自重によってレール４２の途上に載置された状態を維持する。一方、足ボトム２４が下降している状態で、操作部４５を左回転させることで、ストッパー４３をレール４２から除去し、これによって、膝立てモードがセットされる。操作部４５は、シャフト４４から左方向に垂直に突出するようにシャフト４４に取り付けられたレバーであり、左回転させて膝立てモードにセットした状態で、そのレバーが鉛直下方向を向く。よって、膝立てモードでは、ストッパー４３は、操作部４５の自重によるシャフト４４の左方向への回転力（シャフト４４から左方向に垂直に突出した操作部４５が鉛直下方向を向く力）によって、レール４２の途上から除去された状態を維持する。
【００２８】
図４Ａは、足上げモードでの切替機構４０の動作を示す図である。なお、本図では、切替機構４０の詳細な構造を示すために、便宜上、切替機構４０を示す箇所では、フレーム１１が破断されている。足上げモードでは、図示されるように、ストッパー４３は、レール４２の途上に載置され、支持部材４１の先端部４１ｃ及び４１ｄの移動（図面に向かって左方向への移動）を遮断している。この状態で、膝ボトム２３が腰ボトム２２との連結箇所を軸に回動し、膝ボトム２３と足ボトム２４との連結箇所が上昇すると、支持部材４１の先端部４１ｃ及び４１ｄがレール４２上を左方向に移動しようとするがストッパー４３に阻止されて移動できない。そのために、支持部材４１の先端部４１ｃ及び４１ｄを固定軸として、支持部材４１が左回転する。その結果、足ボトム２４は、略水平な状態を維持したまま、膝ボトム２３との連結箇所の上昇とともに、上昇していく。膝ボトム２３と足ボトム２４との連結箇所が下降するときは、上昇するときと逆の順序で、上述した状態が遷移する。
【００２９】
図４Ｂは、膝立てモードでの切替機構４０の動作を示す図である。なお、本図においても、図４Ａと同様に、切替機構４０の詳細な構造を示すために、便宜上、切替機構４０を示す箇所では、フレーム１１が破断されている。膝立てモードでは、図示されるように、ストッパー４３は、レール４２から除去され、およそ時計の１２時の位置に保持され、その結果、支持部材４１の先端部４１ｃ及び４１ｄがレール４２上を移動できる状態にある。この状態で、膝ボトム２３が腰ボトム２２との連結箇所を軸に回動し、膝ボトム２３と足ボトム２４との連結箇所が上昇すると、支持部材４１の先端部４１ｃ及び４１ｄがレール４２上を左方向に移動していく。膝ボトム２３と腰ボトム２２との連結箇所がさらに上昇した場合には、支持部材４１の先端部４１ｃ及び４１ｄは、レール４２の水平部の左端先端からさらに左下方向（傾斜部）に移動する。その結果、足ボトム２４は、膝ボトム２３と足ボトム２４との連結箇所（一端）を昇降させるが、連結箇所（一端）と対向する辺（他端）をフレーム１１に接した状態に維持する。つまり、膝立てモードでは、膝ボトム２３と足ボトム２４との連結箇所が上昇するときに、足ボトム２４のうち、膝ボトム２３との連結箇所と対向する辺を上昇させることなく、膝ボトム２３との連結箇所だけを上昇させる。膝ボトム２３と足ボトム２４との連結箇所が下降するときは、上昇するときと逆の順序で、上述した状態が遷移する。
【００３０】
以上のように、本実施の形態における電動ベッド１０は、人体を支持するボトム２０と、ボトム２０を駆動することによってボトム２０の姿勢を変更する駆動機構３０と、駆動機構３０によるボトム２０の姿勢変更の態様を切り替える切替機構４０とを備える。ボトム２０は、回動可能に順次、連結された腰ボトム２２、膝ボトム２３及び足ボトム２４を含む。駆動機構３０は、腰ボトム２２と膝ボトム２３との連結箇所を軸として、膝ボトム２３を回動させることで、膝ボトム２３と足ボトム２４との連結箇所を昇降させる駆動を行う。切替機構４０は、足上げモードと膝立てモードとを有する。足上げモードでは、膝ボトム２３と足ボトム２４との連結箇所が上昇するときに、足ボトム２４は、略水平に維持したまま連結箇所を上昇させる。膝立てモードでは、膝ボトム２３と足ボトム２４との連結箇所が上昇するときに、足ボトム２４は、足ボトム２４のうち、連結箇所と対向する辺を上昇させることなく連結箇所を上昇させる。切替機構４０には、支持部材４１と、レール４２と、遮断機４６とが含まれる。支持部材は、足ボトム２４の裏面に回動可能に取り付けられた部材である。レール４２は、膝ボトム２３と足ボトム２４との連結箇所が上昇したときにおける支持部材４１の先端部４１ｃ及び４１ｄの移動をガイドする。遮断機４６は、レール４２における支持部材４１の先端部４１ｃ及び４１ｄの移動を遮断するか、通過させるかを切り替える機構である。
【００３１】
このような構成により、本実施の形態の電動ベッド１０によれば、遮断機４６による切り替え操作を行うことで、容易に、足上げモードと膝立てモードとを変更できるので、利用者が寝ている状態であっても足ボトムの保持角度を変更できる機構を実現し易い。
【００３２】
具体的には、本実施の形態では、遮断機４６は、遮断及び通過を切り替えるための操作部４５を有する。操作部４５は、電動ベッド１０の側方から操作可能な位置に設けられる。
【００３３】
これにより、電動ベッド１０の側方から操作部４５を操作することで、遮断機４６の状態を切り替え、足上げモードと膝立てモードとを変更できる。よって、利用者が寝ている状態であっても足ボトムの保持角度を変更できる。
【００３４】
また、遮断機４６は、レール４２の途上に載置される部材であるストッパー４３と、ボトム２０の下側を通り、ストッパー４３をレール４２の途上に載置すること、及び、ストッパー４３をレール４２の途上から除去することを行うシャフト４４とを有する。操作部４５は、シャフト４４の端部に取りけられたレバーである。
【００３５】
これにより、操作部４５によってシャフト４４を回転させることで、遮断機４６の状態を切り替え、足上げモードと膝立てモードとを変更できる。
【００３６】
また、ストッパー４３は、レール４２における支持部材４１の先端部４１ｃ及び４１ｄの移動を遮断する場合には、レール４２の途上に載置された状態を維持する。一方、レール４２における支持部材４１の先端部４１ｃ及び４１ｄの移動を通過させる場合には、ストッパー４３は、レール４２の途上から除去された状態を維持する。
【００３７】
より具体的には、ストッパー４３は、回動可能にシャフト４４に取り付けられ、レール４２における支持部材４１の先端部４１ｃ及び４１ｄの移動を遮断する場合には、自重によってレール４２の途上に載置された状態を維持する。一方、レール４２における支持部材４１の先端部４１ｃ及び４１ｄの移動を通過させる場合には、ストッパー４３は、操作部４５の自重によるシャフト４４の回転力によってレール４２の途上から除去された状態を維持する。
【００３８】
これにより、ストッパー４３の自重により、足上げモードが維持され、一方、操作部４５の自重により、膝立てモードが維持されるので、簡易な構造で、足上げモードの保持と膝立てモードの保持とが実現される。
【００３９】
以上、本発明の電動ベッドについて、実施の形態に基づいて説明したが、本発明は、実施の形態に限定されるものではない。本発明の主旨を逸脱しない限り、当業者が思いつく各種変形を本実施の形態に施したものや、実施の形態及び変形例における一部の構成要素を任意に組み合わせて構築される別の形態も、本発明の範囲内に含まれる。
【００４０】
たとえば、上記実施の形態では、切替機構４０が備える操作部４５は、シャフト４４に直交するように設けられたレバーであったが、これに限られず、シャフト４４を回転させることができる取っ手であれば、いかなる構造を有してもよい。たとえば、シャフト４４に直交するように設けられた円盤形状のつまみであってもよい。また、操作部４５は、シャフト４４を電動で右回転及び左回転させる駆動機構であってもよい。
【００４１】
また、上記実施の形態では、切替機構４０が備える操作部４５は、電動ベッド１０の利用者の右側方に設けられたが、左側方に設けられてもよいし、右側方と左側方の両方に設けられてもよい。
【００４２】
また、上記実施の形態では、遮断機４６は、ストッパー４３の自重及び操作部４５の自重を利用して足上げモードと膝立てモードとを保持したが、このような形態に限られない。たとえば、遮断機４６に、機構的なラッチ構造を設けたり、磁石を設けたりする等により、足げモードと膝立てモードとを保持してもよい。
【００４３】
また、上記実施の形態では、切替機構４０は、膝ボトム２３と足ボトム２４との連結箇所の昇降時における足ボトム２４の保持角度として、２種類の保持角度を切り替えたが、３種類以上の保持角度を切り替える機構を有してもよい。たとえば、ストッパー４３を載置するレール４２上の位置を可変にする機構を設けることで、足ボトム２４の保持角度を任意に設定できるようにしてもよい。
【００４４】
また、上記実施の形態では、ストッパー４３の自重及び操作部４５の自重によってストッパー４３の状態を維持したが、ストッパー４３の状態の維持は、このような方法に限られない。カム構造（シャフト４４をカムシャフトにする等）によって、ストッパー４３をレール４２の途上に載置した状態と、ストッパー４３をレール４２の途上から除去した状態とを維持してもよい。
【００４５】
また、上記実施の形態では、ボトム２０は、連結された４つの床板体（背ボトム２１、腰ボトム２２、膝ボトム２３及び足ボトム２４）から構成されたが、このような構成に限られない。ボトム２０は、膝ボトム２３と足ボトム２４とを有する構造であれば、いかなる構造を有してもよい。たとえば、背ボトム２１及び腰ボトム２２は、電動ベッド１０の短手方向に延びる短冊状の細長い複数の板体で連結されて構成される湾曲可能な構造を有してもよい。さらに、ボトム２０は、５以上の床板体から構成されてもよい。
【符号の説明】
【００４６】
１０  電動ベッド
１１  フレーム
２０  ボトム
２１  背ボトム
２２  腰ボトム
２３  膝ボトム
２４  足ボトム
３０  駆動機構
４０  切替機構
４１  支持部材
４２  レール
４３  ストッパー
４４  シャフト
４５  操作部
４６  遮断機
５０  手元スイッチ
【図１】
2015202375.tif 000003
【図２Ａ】
2015202375.tif 000004
【図２Ｂ】
2015202375.tif 000005
【図３】
2015202375.tif 000006
【図４Ａ】
2015202375.tif 000007
【図４Ｂ】
2015202375.tif 000008